(57)【要約】【課題】　タッチコントロール機能付きの液晶表示装置及びそのタッチコントロール方法を提供する。【解決手段】　第１の押圧位置検知ステップＳ１と、電圧入力ステップＳ２と、第２の押圧位置検知ステップＳ３とを含む液晶表示装置のタッチコントロール方法であって、第１の押圧位置検知ステップＳ１において、液晶表示装置の走査線が画像データを書き込むアイドル期間に、検知すべき各走査線と対向電極板との間に形成された液晶容量をそれぞれ検知し、各液晶容量に基づいて走査線方向の押圧位置（Ｙ）を検知する。電圧入力ステップＳ２において、走査線方向の押圧位置が検知された後、検知すべきデータ線にそれぞれ電圧信号を入力する。第２の押圧位置検知ステップＳ３において、電圧信号が入力された後、検知すべき各データ線と対向電極板との間に形成された液晶容量をそれぞれ検知し、液晶容量に基づいてデータ線方向の押圧位置（Ｘ）を検知する。【選択図】図６
2004054961.tif 000002
【特許請求の範囲】
【請求項１】
　複数本のデータ線及び複数本の走査線が形成された基板と、対向電極板とを備えた液晶表示装置の押圧点の位置を検知するための液晶表示装置のタッチコントロール方法であって、
　前記液晶表示装置の走査線が画像データを書き込むアイドル期間中に、検知すべき各走査線と前記対向電極板との間に形成された液晶容量をそれぞれ検知し、各液晶容量に基づいて走査線方向の押圧位置を検知する第１の押圧位置検知ステップと、
　走査線方向の押圧位置が検知された後、検知すべき各データ線にそれぞれ電圧信号を入力する電圧入力ステップと、
　前記電圧信号が入力された後、検知すべき各データ線と前記対向電極板との間に形成された液晶容量をそれぞれ検知し、各液晶容量に基づいてデータ線方向の押圧位置を検知する第２の押圧位置検知ステップとを含み、
　前記走査線方向の押圧位置と前記データ線方向の押圧位置とが対応する位置を、前記押圧点の位置とすることを特徴とする液晶表示装置のタッチコントロール方法。
【請求項２】
　前記第１の押圧位置検知ステップにおいて、前記走査線方向の押圧位置を検知しない場合に、前記第１の押圧位置検知ステップを繰り返すことを特徴とする請求項１に記載の液晶表示装置のタッチコントロール方法。
【請求項３】
　前記第２の押圧位置検知ステップにおいて、前記データ線方向の押圧位置を検知しない場合に、前記第１の押圧位置検知ステップを繰り返すことを特徴とする請求項１又は２に載の液晶表示装置のタッチコントロール方法。
【請求項４】
　前記第１の押圧位置検知ステップにおいて、各走査線と前記対向電極板との間に形成された液晶容量値を検知する際に、少なくとも１本の走査線を隔てて検知を行うことを特徴とする請求項１ないし３のいずれかに記載の液晶表示装置のタッチコントロール方法。
【請求項５】
　前記第２の押圧位置検知ステップにおいて、各データ線と前記対向電極板との間に形成された液晶容量を検知する際に、少なくとも１本のデータ線を隔てて検知を行うことを特徴とする請求項１ないし４のいずれかに記載の液晶表示装置のタッチコントロール方法。
【請求項６】
　少なくとも一つの走査線比較値と少なくとも一つのデータ線比較値を設定するための比較値設定ステップをさらに含むことを特徴とする請求項１ないし５のいずれかに記載の液晶表示装置のタッチコントロール方法。
【請求項７】
　前記第１の押圧位置検知ステップにおいて、ある走査線の液晶容量（Ｃｋ）が前記走査線比較値より大きい場合に、前記走査線が所在する位置を前記走査線方向の前記押圧位置とすることを特徴とする請求項６に記載の液晶表示装置のタッチコントロール方法。
【請求項８】
　前記第２の押圧位置検知ステップにおいて、あるデータ線の液晶容量（Ｃｌ）が前記データ線比較値より大きい場合に、前記データ線が所在する位置を前記データ線方向の前記押圧位置とすることを特徴とする請求項６又は７に記載の液晶表示装置のタッチコントロール
【請求項９】
　複数本のデータ線及び複数本の走査線が形成された基板と、対向電極板とを備えた液晶表示装置であって、
　検知すべき各走査線に電気的に接続され、各走査線と前記対向電極板との間に形成された液晶容量をそれぞれ検知し、各液晶容量に基づいて走査線方向の押圧位置を検知する第１の検知回路と、
　前記第１の検知回路に電気的に接続され、走査線が画像データを書き込むアイドル期間中に第１の検知回路が液晶容量の検知を行うように、第１の検知回路を制御するタイミング制御回路と、
　前記タイミング制御回路に電気的に接続されると共に、それぞれ各データ線に電気的に接続され、走査線方向の押圧位置が検出された後、前記タイミング制御回路により制御され、検知すべき各データ線に電圧信号を入力する電圧信号発生回路と、
　検知すべき各データ線に電気的に接続される、各データ線に前記電圧信号が入力された後、検知すべき各データ線と前記対向電極板との間に形成された液晶容量をそれぞれ検知し、各液晶容量に基づいてデータ線方向の押圧位置を検知する第２の検知回路とを備えたことを特徴とする液晶表示装置。
【請求項１０】
　前記第１の検知回路は、各走査線と前記対向電極板との間に形成された液晶容量を検知する際に、少なくとも１本の走査線を隔てて検知を行うことを特徴とする請求項９に記載の液晶表示装置。
【請求項１１】
　前記第２の検知回路は、各データ線と前記対向電極板との間に形成された液晶容量を検知する際に、少なくとも１本のデータ線を隔てて検知を行うことを特徴とする請求項９又は１０に記載の液晶表示装置。
【請求項１２】
　前記第１の検知回路及び前記第２の検知回路に電気的に接続され、少なくとも一つの走査線比較値及び少なくとも一つのデータ線比較値を設定するために用いられ、前記走査線比較値及び前記データ線比較値を、比較の判定基準として、それぞれ前記第１の検知回路と前記第２の検知回路に入力する比較値設定回路をさらに備えたことを特徴とする請求項９ないし１１のいずれかに記載の液晶表示装置。
【請求項１３】
　前記第１の検知回路は、ある走査線の液晶容量（Ｃｋ）が前記走査線比較値より大きい場合に、前記走査線が所在する位置を前記走査線方向の前記押圧位置とすることを特徴とする請求項１２に記載の液晶表示装置。
【請求項１４】
　前記第２の検知回路は、あるデータ線の液晶容量（Ｃｌ）が前記データ線比較値より大きい場合に、前記データ線が所在する位置を前記データ線方向の前記押圧位置とすることを特徴とする請求項１２又は１３に記載の液晶表示装置。
【発明の詳細な説明】
【技術分野】
【０００１】
　本発明は、表示装置及びそのタッチコントロール方法に関し、特にタッチコントロール機能付きの液晶表示装置及びそのタッチコントロール方法に関する。
【背景技術】
【０００２】
　従来のタッチパネル技術として、容量式タッチパネル、ペン式タッチパネル、抵抗式タッチパネルなどが挙げられる。そのうち、容量式タッチパネルは、人体の静電を利用するタッチパネル技術であり、主に銀行のＡＴＭ機器、自動支払機、株取り引きなどのシステムに利用されている。ペン式タッチパネルは、上記容量式タッチパネル技術と類似し、手又は入力ペンの接触に反応する。なお、反応モードは、手反応モード、ペン反応モード、手及びペン反応モードに設定することが可能である。抵抗式タッチパネルは、圧力により反応するため、タッチメディアについて制限はない。一般的に、その構成上、表面上にトップシートとして多層の樹脂フィルム層が形成されている。このトップシートの内層には、透明導電層が形成されるとともに、微細なスペーサにより、透明導電層がガラス基板の上方に隔離されている。このようにして、トップシートに電流が流れた状態で、ユーザがこのトップシートに圧力を加えると、多層樹脂フィルム層とガラス基板上の導電層が互いに接触することにより、電流がタッチパネルの四隅に流れる。ここで、制御器により四隅の電流値を同時に読み取り、タッチ点の座標を計算することができる。
【発明の開示】
【発明が解決しようとする課題】
【０００３】
　上述した各種のタッチパネル技術はそれぞれ利点を有するが、以下のような共通の欠点がある。上述した技術では、何れも表示スクリーン又は表示パネル（ＬＣＤやＣＲＴなど）の上にタッチプレートや制御器などの裝置を付加する必要があり、これにより、タッチコントロール機能付き表示装置が実現する。言い換えれば、現在市場に出回っているタッチコントロール機能付き表示装置は、実際には、表示パネル自身にタッチコントロール裝置を付加した後、タッチコントロール機能を有することになり、表示パネル自身がタッチコントロール機能を有するわけではない。また、これらの技術では、何れもタッチプレートなどの素子を付加する必要があるため、精確に校正しなければ、正確なスクリーン座標を得ることができない。さらに、これらの技術では、何れもタッチプレートなどの素子を付加する必要があるため、タッチプレートが光源からの光の一部の遮蔽することになり、表示装置全体の輝度が低下することになる。さらに、これらの技術では、何れもタッチプレートなどの素子を付加する必要があるため、製作コストが高くなる。
【０００４】
　従って、タッチプレートを付加するこなく、表示輝度に影響を及ばず、低コストで、かつ、校正を行わずに正確なスクリーン座標が得られる表示装置を提供することは、重要な課題になっている。
【０００５】
　本発明は、上記の問題を鑑みてなされたものであり、タッチプレート素子を付加することなく、タッチコントロール機能を有する液晶表示装置のタッチコントロール方法を提供することを目的とする。また、本発明は、タッチプレート素子を付加することなく、タッチコントロール機能を有する液晶表示装置を提供することをもう一つの目的とする。
【課題を解決するための手段】
【０００６】
　上記目的を達成するため、請求項１の発明は、複数本のデータ線及び複数本の走査線が形成された基板と、対向電極板とを備えた液晶表示装置の押圧点の位置を検知するための液晶表示装置のタッチコントロール方法であって、
　前記液晶表示装置の走査線が画像データを書き込むアイドル期間中に、検知すべき各走査線と前記対向電極板との間に形成された液晶容量をそれぞれ検知し、各液晶容量に基づいて走査線方向の押圧位置を検知する第１の押圧位置検知ステップと、
　走査線方向の押圧位置が検知された後、検知すべき各データ線にそれぞれ電圧信号を入力する電圧入力ステップと、
　前記電圧信号が入力された後、検知すべき各データ線と前記対向電極板との間に形成された液晶容量をそれぞれ検知し、各液晶容量に基づいてデータ線方向の押圧位置を検知する第２の押圧位置検知ステップとを含み、
　前記走査線方向の押圧位置と前記データ線方向の押圧位置とが対応する位置を、前記押圧点の位置とすることを特徴とする。
【０００７】
　請求項２の発明は、請求項１の液晶表示装置のタッチコントロール方法において、前記第１の押圧位置検知ステップにおいて、前記走査線方向の押圧位置を検知しない場合に、前記第１の押圧位置検知ステップを繰り返すことを特徴とする。
【０００８】
　請求項３の発明は、請求項１又は２の液晶表示装置のタッチコントロール方法において、前記第２の押圧位置検知ステップにおいて、前記データ線方向の押圧位置を検知しない場合に、前記第１の押圧位置検知ステップを繰り返すことを特徴とする。
【０００９】
　請求項４の発明は、請求項１ないし３のいずれかの液晶表示装置のタッチコントロール方法において、前記第１の押圧位置検知ステップにおいて、各走査線と前記対向電極板との間に形成された液晶容量値を検知する際に、少なくとも１本の走査線を隔てて検知を行うことを特徴とする。
【００１０】
　請求項５の発明は、請求項１ないし４のいずれかの液晶表示装置のタッチコントロール方法において、前記第２の押圧位置検知ステップにおいて、各データ線と前記対向電極板との間に形成された液晶容量を検知する際に、少なくとも１本のデータ線を隔てて検知を行うことを特徴とする。
【００１１】
　請求項６の発明は、請求項１ないし５のいずれかの液晶表示装置のタッチコントロール方法において、少なくとも一つの走査線比較値と少なくとも一つのデータ線比較値を設定するための比較値設定ステップをさらに含むことを特徴とする。
【００１２】
　請求項７の発明は、請求項６に記載の液晶表示装置のタッチコントロール方法において、前記第１の押圧位置検知ステップにおいて、ある走査線の液晶容量（Ｃｋ）が前記走査線比較値より大きい場合に、前記走査線が所在する位置を前記走査線方向の前記押圧位置とすることを特徴とする。
【００１３】
　請求項８の発明は、請求項６又は７に記載の液晶表示装置のタッチコントロール方法において、前記第２の押圧位置検知ステップにおいて、あるデータ線の液晶容量（Ｃｌ）が前記データ線比較値より大きい場合に、前記データ線が所在する位置を前記データ線方向の前記押圧位置とすることを特徴とする。
【００１４】
　請求項９の発明は、複数本のデータ線及び複数本の走査線が形成された基板と、対向電極板とを備えた液晶表示装置であって、
　検知すべき各走査線に電気的に接続され、各走査線と前記対向電極板との間に形成された液晶容量をそれぞれ検知し、各液晶容量に基づいて走査線方向の押圧位置を検知する第１の検知回路と、
　前記第１の検知回路に電気的に接続され、走査線が画像データを書き込むアイドル期間中に第１の検知回路が液晶容量の検知を行うように、第１の検知回路を制御するタイミング制御回路と、
　前記タイミング制御回路に電気的に接続されると共に、それぞれ各データ線に電気的に接続され、走査線方向の押圧位置が検出された後、前記タイミング制御回路により制御され、検知すべき各データ線に電圧信号を入力する電圧信号発生回路と、
　検知すべき各データ線に電気的に接続される、各データ線に前記電圧信号が入力された後、検知すべき各データ線と前記対向電極板との間に形成された液晶容量をそれぞれ検知し、各液晶容量に基づいてデータ線方向の押圧位置を検知する第２の検知回路とを備えたことを特徴とする。
【００１５】
　請求項１０の発明は、請求項９の液晶表示装置において、前記第１の検知回路は、各走査線と前記対向電極板との間に形成された液晶容量を検知する際に、少なくとも１本の走査線を隔てて検知を行うことを特徴とする。
【００１６】
　請求項１１の発明は、前記第２の検知回路は、各データ線と前記対向電極板との間に形成された液晶容量を検知する際に、少なくとも１本のデータ線を隔てて検知を行うことを特徴とする。
【００１７】
　請求項１２の発明は、請求項９ないし１１の液晶表示装置において、前記第１の検知回路及び前記第２の検知回路に電気的に接続され、少なくとも一つの走査線比較値及び少なくとも一つのデータ線比較値を設定するために用いられ、前記走査線比較値及び前記データ線比較値を、比較の判定基準として、それぞれ前記第１の検知回路と前記第２の検知回路に入力する比較値設定回路をさらに備えたことを特徴とする。
【００１８】
　請求項１３の発明は、請求項１２の液晶表示装置において、前記第１の検知回路は、ある走査線の液晶容量（Ｃｋ）が前記走査線比較値より大きい場合に、前記走査線が所在する位置を前記走査線方向の前記押圧位置とすることを特徴とする。
【００１９】
　請求項１４の発明は、請求項１２又は１３の液晶表示装置において、前記第２の検知回路は、あるデータ線の液晶容量（Ｃｌ）が前記データ線比較値より大きい場合に、前記データ線が所在する位置を前記データ線方向の前記押圧位置とすることを特徴とする。
【発明の効果】
【００２０】
　本発明の液晶表示装置及びそのタッチコントロール方法によれば、直接に現有の薄膜トランジスタ液晶表示装置の構造を利用するため、従来のように、別途にタッチプレートや制御器などの裝置を付加することなく、精確に校正しなくても正確なスクリーン座標を得ることができる。また、タッチプレートなどの素子を付加する必要がないため、一部の光源を遮蔽する虞れがなく、表示装置全体の輝度が向上されるとともに、製作コストも低減できる。
【発明を実施するための最良の形態】
【００２１】
　本発明の好適な実施の形態について、図面を参照しつつ説明する。まず、本実施の形態における液晶表示装置のタッチコントロール方法を説明するために、先に液晶表示パネルの基本構成を説明する（図１参照）。なお、本発明では、薄膜トランジスタ液晶表示パネルを例にして説明する。
【００２２】
　まず、図１に示すように、薄膜トランジスタ液晶表示パネル１（以下、ＴＦＴ−ＬＣＤ１と称する）は、両偏光板１１、１１'と、両ガラス基板１２、１２'と、カラーフィルター１３と、対向電極板１４と、両配向層１５、１５'と、液晶層１６と、薄膜トランジスタアレイ１７（以下、ＴＦＴアレイと称する）と、バックライト１８とを備える。このＴＦＴアレイ１７の各画素面積には、画素電極１７１と薄膜トランジスタ１７２（以下、ＴＦＴと称する）とが形成され、各ＴＦＴの間には、それぞれ複数本の走査線（又はゲート線）１７３とデータ線（又はドレイン線）１７４が電気的に接続されている。
【００２３】
　図２に示すように、ＴＦＴ−ＬＣＤ１の液晶層１６には複数のスペーサ１６１が設けられている。ガラス基板１２の下方には、ブラックマトリックス１９が設けられている。対向電極板１４と画素電極１７１との間には、液晶容量ＣＬＣが形成され、対向電極板１４と走査線１７３との間には、液晶容量ＣＧが形成される。もちろん、ＴＦＴ−ＬＣＤ１の構造に存在する容量は、液晶容量ＣＬＣと液晶容量ＣＧのみではない。図３に示すように、ＴＦＴ−ＬＣＤ１の構造には、例えば寄生容量効果と液晶容量ＣＬＣリーク効果を改善するための保持容量ＣＳＴと、対向電極板１４とデータ線１７４との間に形成された液晶容量ＣＤなども存在している。図３中、Ｐ１は保持容量の共通電極、Ｐ２は対向電極板、ＤＮ及びＧＭはそれぞれ第Ｎ本目のデータ線と第Ｍ本目の走査線を示す。
【００２４】
　図４に示すように、ユーザが圧力ＦをＴＦＴ−ＬＣＤ１に加えると、受圧側の対向電極板１４などが変形する。すなわち、対向電極板１４と走査線１７３との間の距離ｄが小さくなる。また、対向電極板１４とデータ線１７４との間の距離も小さくなる（図示せず）。なお、従来の平行電極板の容量Ｃと距離ｄとの関係（式１）から、容量は両平行電極板間の距離に反比例する。ここで、Ａは表面積、εは誘電定数を示す。
　　Ｃ＝ε（Ａ／ｄ）　・・・（１）
【００２５】
　従って、対向電極板１４と走査線１７３との間の距離dが小さくなると、或いは、対向電極板１４とデータ線１７４との間の距離が小さくなると、そこに位置する液晶容量ＣＧ又は液晶容量ＣＤは、それに伴って大きくなる。そのため、各走査線１７３とデータ線１７４とに対応した液晶容量ＣＧ又は液晶容量ＣＤのみを検知すれば、押圧点の位置を決定することができる。
【００２６】
　図５に示すように、ユーザによる押圧点が、第ｌ本目のデータ線Ｄ１と第ｋ本目の走査線ＧＫのところに位置する場合には、そのところの走査線と対向電極板との間の液晶容量Ｃｋと、データ線と対向電極板との間の液晶容量Ｃｌとが大きくなる。言い換えれば、理論上、各走査線と各データ線とに対応する液晶容量（Ｃ１〜ＣＭ）又は液晶容量（Ｃ１〜ＣＮ）を検知すれば、押圧点の位置を決定することができる。しかし、各データ線の信号電圧は所望の画像信号により決定されるため、一般的に各データ線の電圧波形が一様ではなく、また対向電極板との間の平方根電圧（ＲＭＳ電圧）も互いに一様ではない。液晶の配列と容量特性は、平方根電圧により決定されるため、押圧力を受けない状況でも、各データ線に対応する液晶容量（Ｃ１〜ＣＮ）がすでに異なっており、液晶容量（Ｃ１〜ＣＮ）により押圧点を検出することが困難になる。しかしながら、この問題は、本発明の液晶表示装置のタッチコントロール方法により解決することができる。
【００２７】
　以下、図６と図７を参照しながら、本実施の形態における液晶表示装置のタッチコントロール方法について説明する。図６に示すように、本実施の形態における液晶表示装置のタッチコントロール方法は、第１の押圧位置検知ステップＳ１と、電圧入力ステップＳ２と、第２の押圧位置検知ステップＳ３とを含む。
【００２８】
　第１の押圧位置検知ステップＳ１において、液晶表示装置の走査線が画像データを書き込むアイドル期間に、検知すべき各走査線とそれらの対向電極板との間に形成された液晶容量（Ｃ１〜ＣＭ）をそれぞれ検知し、各液晶容量（Ｃ１〜ＣＭ）に基づいて走査線方向の押圧位置（Ｙ）を検知する。本実施の形態における検知方式として、例えば、ある走査線の液晶容量（Ｃｋ）が所定の走査線比較値より大きい場合には、その走査線が所在する位置が走査線方向の押圧位置（Ｙ）である。その際、所定の走査線比較値は、各走査線の液晶容量（Ｃ１〜ＣＭ）のうち最も小さい値に所定値を加えるものでもよく、その走査線について以前に検知した液晶容量に所定値を加えるものでもよく、二本以上の走査線に対応した液晶容量の平均値に所定値を加えるものでもよい。ここでは、所定の走査線比較値を、例えば「０」とする。
【００２９】
　また、第１の押圧位置検知ステップＳ１において、走査線方向の押圧位置（Ｙ）を検知しない場合は、第１の押圧位置検知ステップＳ１を繰り返す。なお、第１の押圧位置検知ステップＳ１において、これら各走査線と対向電極板との間に形成された液晶容量を検知する際に、少なくとも１本の走査線を隔てて検知を行うことができる。
【００３０】
　第１の押圧位置検知ステップＳ１において、走査線方向の押圧位置（Ｙ）が検知されると、次に、電圧入力ステップＳ２において、検知すべきデータ線にそれぞれ電圧信号を入力する。この電圧信号は、各データ線と対向電極板との間に形成された電圧のＲＭＳ値を同じにするために用いられる。
【００３１】
　電圧入力ステップＳ２において電圧信号が入力されると、第２の押圧位置検知ステップＳ３において、検知すべき各データ線と対向電極板との間に形成された液晶容量（Ｃ１〜ＣＮ）をそれぞれ検知し、液晶容量（Ｃ１〜ＣＮ）に基づいてデータ線方向の押圧位置（Ｘ）を検知する。本実施の形態における検知方式として、例えば、あるデータ線の液晶容量（Ｃ１）が所定のデータ線比較値より大きい場合には、そのデータ線が所在する位置がデータ線方向の押圧位置（Ｘ）である。その際、所定のデータ線比較値は、各走査線の液晶容量（Ｃ１〜ＣＮ）のうち最も小さい値に所定値を加えるものでもよく、その走査線について以前に検知した液晶容量に所定値を加えるものでもよく、二本以上の走査線に対応した液晶容量の平均値に所定値を加えるものでもよい。ここでは、所定のデータ線比較値を、例えば「０」とする。
【００３２】
　また、第２の押圧位置検知ステップＳ３において、データ線方向の押圧位置（Ｘ）検知しない場合には、第１の押圧位置検知ステップＳ１を繰り返す。なお、第２の押圧位置検知ステップＳ３において、これらのデータ線とその対向電極板との間に形成された液晶容量を検知する際に、少なくとも１本のデータ線を隔てて検知を行うことができる。
【００３３】
　上記のようにして検知された、走査線方向の押圧位置（Ｙ）及びデータ線方向の押圧位置（Ｘ）とが対応した位置が、押圧点（タッチ点）の位置である。
【００３４】
　なお、図７に示すように、本発明の液晶表示装置のタッチコントロール方法は、さらに、比較値設定ステップＳ０を含むことが可能である。比較値設定ステップＳ０は、少なくとも一つの走査線比較値と少なくとも一つのデータ線比較値を設定するために用いられ、走査線比較値とデータ線比較値は必要に応じて設定される。
【００３５】
　次に、本実施の形態における液晶表示装置について、図８〜図１０を参照しながら説明する。ここで、説明上の都合上、液晶表示装置のタッチコントロール方法を説明と共通する部分については同一の符号を使用する。また、タッチコントロール原理の説明を省略する。
【００３６】
　図８に示すように、本実施の形態における液晶表示装置２は、薄膜トランジスタ液晶表示パネル１と、第１の検知回路２１と、タイミング制御回路２２と、電圧信号発生回路２３と、第２の検知回路２４とを備える。
【００３７】
　第１の検知回路２１は、それぞれ検知すべき各走査線Ｇ１〜ＧＭに電気的に接続され、それぞれ各走査線Ｇ１〜ＧＭと対向電極板１４との間に形成された液晶容量を検知するために用いられ、各液晶容量に基づいて走査線方向の押圧位置（Ｙ）を検知する。検知方式については上記液晶表示装置のタッチコントロール方法の箇所ですでに説明したので、その説明を省略する。さらに、検知すべき走査線についても、少なくとも１本の走査線を隔てて検知を行うことができる。
【００３８】
　タイミング制御回路２２は、第１の検知回路２１に電気的に接続され、走査線が画像データを書き込むアイドル期間中に、第１の検知回路２１が液晶容量の検知を行うように、第１の検知回路２１を制御する。
【００３９】
　電圧信号発生回路２３は、タイミング制御回路２２に電気的に接続されるとともに、それぞれ各データ線に電気的に接続されている。電圧信号発生回路２３は、走査線方向の押圧位置が検出された後、タイミング制御回路２２により制御され、検知すべき各データ線に電圧信号を入力する。
【００４０】
　第２の検知回路２４は、それぞれ検知すべき各データ線に電気的に接続され、各電圧信号がそれぞれ入力された後、検知すべき各データ線と対向電極板との間に形成された液晶容量を検知し、各液晶容量に基づいてデータ線方向の押圧位置を検知する。検知方式についても上記液晶表示装置のタッチコントロール方法の箇所ですでに説明したので、その説明を省略する。さらに、検知すべきデータ線についても、少なくとも１本のデータ線を隔てて検知を行うことができる。
【００４１】
　第１の検知回路２１又は第２の検知回路２４は、例えば図９に示すように、複数の検知ユニット２１１と電流測定ユニット（図示せず）とで構成されている。検知ユニット２１１は、ＣＢＣＭ（Charge-Based Capacitance Measurement）の回路構成であり、両ＮＭＯＳトランジスタと、両ＰＭＯＳトランジスタとを備える。そのうち、一つのＮＭＯＳトランジスタは一つのＰＭＯＳトランジスタに電気的に接続され、もう一つのＮＭＯＳトランジスタはもう一つのＰＭＯＳトランジスタに電気的に接続される。また、測定予定容量ＣＤ又はＣＧは、一組のＮＭＯＳトランジスタとＰＭＯＳトランジスタとの間に電気的に接続され、ＶＰ及びＶＮは、それぞれＰＭＯＳトランジスタ、ＮＭＯＳトランジスタの駆動電圧を示す。ここで、二組のＮＭＯＳトランジスタとＰＭＯＳトランジスタを流れる両電流をそれぞれ測定し、この両電流の差に基づいて待測容量ＣＤ及びＣＧの容量を得ることができる。
【００４２】
　さらに、走査方向線とデータ線方向の押圧位置を容易に検知し、かつ、薄膜トランジスタ液晶表示装置の押圧感度を適切に制御するために、本実施の形態における薄膜トランジスタ液晶表示装置は、図１０に示すように、所定値を設定するための比較値設定回路２５をさらに含むことも可能である。比較値設定回路２５は、第１の検知回路２１と第２の検知回路２４にそれぞれ電気的に接続され、少なくとも一つの走査線比較値及び少なくとも一つのデータ線比較値を設定するために用いられる。走査線の比較値とデータ線の比較値は、比較の判定基準として、それぞれ第１の検知回路２１と第２の検知回路２４に入力される。
【００４３】
　以上、本発明の一実施の形態について図面を参照して詳述してきたが、具体的な構成は、これらの実施の形態に限られるものではなく、本発明の要旨を逸脱しない範囲の設計変更などがあっても、本発明に含まれる。
【図面の簡単な説明】
【００４４】
【図１】薄膜トランジスタ液晶表示パネルの構造を示す部分破断斜視図
【図２】図１におけるＡ−Ａ断面図
【図３】ＴＦＴアレイの等価回路図
【図４】図２に示す薄膜トランジスタ液晶表示パネルにおいて圧力を受けた状態の構造を示す断面図
【図５】ＴＦＴアレイにおけるデータ線と走査線との間の位置関係を示す図
【図６】本発明の一実施の形態における液晶表示装置のタッチコントロール方法を示すフローチャート
【図７】本発明の一実施の形態における他の液晶表示装置のタッチコントロール方法を示すフローチャート
【図８】本発明の一実施の形態における液晶表示装置の構成を示すブロック図
【図９】上記液晶表示装置における検知回路を構成する１つの検知回路ユニットを示す回路図
【図１０】本発明の一実施の形態における液晶表示装置の他の構成を示すブロック図
【符号の説明】
【００４５】
　１　薄膜トランジスタ液晶表示パネル
　１１、１１'　偏光板
　１２、１２'　ガラス基板
　１３　カラーフィルター
　１４　対向電極板
　１５、１５'　配向層
　１６　液晶層
　１６１　スペーサ
　１７　薄膜トランジスタアレイ
　１８　バックライト
　１９　ブラックマトリックス
　ＣＧ　対向電極板と走査線との間に形成した液晶容量
　ＣＤ　対向電極板とデータ線との間に形成した液晶容量
　Ｃｋ　対向電極板と第ｋ本目の走査線との間に形成した液晶容量
　Ｃｌ　対向電極板と第１本目のデータ線との間に形成した液晶容量
　２　液晶表示装置
　２１　第１の検知回路
　２１１　検知ユニット
　２２　タイミング制御回路
　２３　電圧信号発生回路
　２４　第２の検知回路
　２５　比較値設定回路
【図１】
2004054961.tif 000003
【図２】
2004054961.tif 000004
【図３】
2004054961.tif 000005
【図４】
2004054961.tif 000006
【図５】
2004054961.tif 000007
【図６】
2004054961.tif 000008
【図７】
2004054961.tif 000009
【図８】
2004054961.tif 000010
【図９】
2004054961.tif 000011
【図１０】
2004054961.tif 000012